(57)【要約】      （修正有）【課題】呼出時における来訪者映像を迅速にモニタ出画して居住者に確認させる。【解決手段】子機１ａ、１ｂのカメラ１１にて撮像された映像が親機２を経由して無線通信で送信されてくる無線増設親機３ａ、３ｂに、識別子として所定の時刻に対応させた複数の背景画像を予め送信し、来訪者による子機からの呼出時において、当該呼出時の背景映像に最も近い背景画像と変化量の大きい来訪者映像とを合成して増設モニタ３１に出画させることにより、呼出時における来訪者映像を迅速にモニタ出画して居住者に確認させることができ、この来訪者映像は、背景映像のモニタ出画を保持した状態で切り替えられる。【選択図】図１
2009239678.tif 000002
【特許請求の範囲】
【請求項１】
玄関又は門扉等の住戸外に設置されカメラ（１１）を有する子機（１ａ、１ｂ）と、前記子機に有線接続され当該子機の前記カメラにて撮像された映像を出画するための親機モニタ（２１）を有する親機（２）と、前記親機に無線接続され前記子機の前記カメラにて撮像された映像を出画するための増設モニタ（３１）を有する無線増設親機（３ａ、３ｂ）とを設け、来訪者による前記子機からの呼び出しを前記親機及び前記無線増設親機に報知して前記子機の前記カメラにて撮像された映像を前記親機の前記親機モニタ及び前記無線増設親機の前記増設モニタに出画し、当該呼び出しに応答した前記親機又は前記無線増設親機と前記子機との間で通話を成立させるテレビインターホンシステムであって、
前記親機には、前記子機の前記カメラにて予め撮像された前記住戸外の背景映像に識別子を付与して前記無線増設親機へ定期的に無線通信で送信するための親機制御部（２６ａ）と、前記子機からの呼出時に前記カメラにて撮像される前記映像を来訪者映像と背景映像とに分割し、前記予め送信された背景映像のうち前記呼出時の背景映像に最も近い背景画像の識別子を指定するための親機映像処理部（２２ａ）とを備え、
前記親機の前記親機制御部は、前記親機映像処理部にて指定された背景映像の識別子及び前記分割された来訪者映像を前記無線増設親機に無線通信で送信し、
前記無線増設親機には、前記親機から前記無線通信で送信されてきた背景映像の識別子及び前記分割された来訪者映像に基づいて当該識別子の背景映像及び来訪者映像を合成して背景映像付来訪者映像を前記増設モニタに出画させるための増設映像処理部（３３）を備えることを特徴とするテレビインターホンシステム。
【請求項２】
前記無線増設親機は、前記増設モニタへの前記背景映像の出画を保持した状態で前記親機から前記無線通信で送信されてくる前記来訪者映像を前記増設モニタに出画させることを特徴とする請求項１記載のテレビインターホンシステム。
【請求項３】
玄関又は門扉等の住戸外に設置されカメラ（１１）を有する子機（５１ａ、５１ｂ）と、前記子機に無線接続され当該子機の前記カメラにて撮像された映像を出画するための親機モニタ（２１）を有する親機（５２）とを設け、来訪者による前記子機からの呼び出しを前記親機に報知して前記子機の前記カメラにて撮像された映像を前記親機の前記親機モニタに出画し、当該呼び出しに応答した前記親機と前記子機との間で通話を成立させるテレビインターホンシステムであって、
前記子機には、前記カメラにて予め撮像された前記住戸外の背景映像に識別子を付与して前記親機へ定期的に無線通信で送信するための子機制御部（１６ｂ）と、当該子機からの呼出時に前記カメラにて撮像される前記映像を来訪者映像と背景映像とに分割し、前記予め送信された背景映像のうち前記呼出時の背景映像に最も近い背景画像の識別子を指定するための子機映像処理部（１２ｂ）とを備え、
前記子機の前記子機制御部は、前記子機映像処理部にて指定された背景映像の識別子及び前記分割された来訪者映像を前記親機に無線通信で送信し、
前記親機には、前記子機から前記無線通信で送信されてきた背景映像の識別子及び前記分割された来訪者映像に基づいて当該識別子の背景映像及び来訪者映像を合成して背景映像付来訪者映像を前記親機モニタに出画させるための親機映像処理部（２２ｂ）を備えることを特徴とするテレビインターホンシステム。
【請求項４】
前記親機は、前記親機モニタへの前記背景映像の出画を保持した状態で前記子機から前記無線通信で送信されてくる前記来訪者映像を前記親機モニタに出画させることを特徴とする請求項３記載のテレビインターホンシステム。
【発明の詳細な説明】
【技術分野】
【０００１】
本発明は、子機のカメラにて撮像される映像を、この子機に有線接続される親機の親機モニタと当該親機に無線接続される無線増設親機の増設モニタ、或いは、当該子機に無線接続される親機の親機モニタに出画させるテレビインターホンシステムに係り、特に、子機のカメラにて撮像される来訪者映像及び背景映像のうち、変化量の大きい来訪者映像の視認性を高めたテレビインターホンシステムに関する。
【背景技術】
【０００２】
従来から、子機からの呼び出しを親機とは別途の場所に設けられる増設親機にて応答するにあたり、この親機及び増設親機の間は有線で接続されるのが一般的であるため、その配線工事に煩雑さを有していた。そこで、親機及び増設親機の間を無線で接続する例えば、特許文献１に記載のモニタ付きワイヤレス通話システムが開示されている。
【０００３】
このモニタ付きワイヤレス通話システムにおいて、モニタ付きインターホン親機（前述の親機と同意。）は、カメラ付きドアホン子器（前述の子機と同意。）から伝送された音声信号及び映像信号をそれぞれ、無線通信でモニタ付きインターホン副親機（前述の増設親機と同意。）へ送信し、モニタ付きインターホン副親機から無線通信で送信されてくる音声信号を受信するとともに、モニタ付きインターホン副親機は、カメラ付きドアホン子器からモニタ付きインターホン親機を経由して無線通信で送信されてくる音声信号及び映像信号をそれぞれ受信し、音声信号を無線通信でモニタ付きインターホン親機に送信することができる。
【０００４】
また、このモニタ付きワイヤレス通話システムによれば、モニタ付きインターホン親機及びモニタ付きインターホン副親機の間は無線で接続されるため、モニタ付きインターホン副親機は自由に移設可能であり、設置するための配線工事も必要なく、設置場所の自由度が高くなる。
【０００５】
ここで、カメラ付きドアホン子器からの映像信号を、モニタ付きインターホン親機を経由して無線通信でモニタ付きインターホン副親機に送信する場合、そのままでは音声信号と比較してデータ量が大きいため、映像信号の圧縮が必要になる場合が多い。
【０００６】
そこで、映像信号の無線通信として、無線ＬＡＮやＢｌｕｅｔｏｏｔｈ（登録商標）等の使用によるスペクトラム拡散方式を使用する提案が行われており、例えば、特許文献２に記載のモニタ付きワイヤレス通話システムが開示されている。
【０００７】
【特許文献１】特開２０００−２２４３１６号公報
【特許文献２】特開２０００−２２４３１７号公報
【発明の開示】
【発明が解決しようとする課題】
【０００８】
しかしながら、背景技術に記載した特許文献１、２に記載の各モニタ付きワイヤレス通話システムにおいて、カメラ付きドアホン子器からの映像信号を、モニタ付きインターホン親機を経由して無線通信でモニタ付きインターホン副親機に送信し、このモニタ付きインターホン副親機にて出画するにあたり、特許文献２に記載のスペクトラム拡散方式を使用した無線通信を行った場合であっても、その出画のタイミングは、１画面分の画像を取得した後のタイミングとなるため、カメラ付きドアホン子器からの呼び出しを検出してから出画するまでの間に所定の時間が必要となる難点があり、呼出時の映像、特に、変化量の大きい来訪者映像を迅速に確認することができなかった。
【０００９】
本発明は、この難点を解消するためになされたもので、子機のカメラにて撮像された映像が無線通信で送信されてくる無線増設親機又は親機に、所定の時刻に対応させた複数の背景画像を予め送信し、来訪者による子機からの呼出時において、当該呼出時の背景映像に最も近い背景画像と変化量の大きい来訪者映像とを合成してモニタ出画させることにより、呼出時における来訪者映像を迅速にモニタ出画して居住者に確認させることができるテレビインターホンシステムを提供することを目的としている。
【課題を解決するための手段】
【００１０】
前述の目的を達成するため、本発明の第１の態様であるテレビインターホンシステムは、玄関又は門扉等の住戸外に設置されカメラを有する子機と、子機に有線接続され当該子機のカメラにて撮像された映像を出画するための親機モニタを有する親機と、親機に無線接続され子機のカメラにて撮像された映像を出画するための増設モニタを有する無線増設親機とを設け、来訪者による子機からの呼び出しを親機及び増設親機に報知して子機のカメラにて撮像された映像を親機の親機モニタ及び無線増設親機の増設モニタに出画し、当該呼び出しに応答した親機又は無線増設親機と子機との間で通話を成立させる当該システムである。親機には、子機のカメラにて予め撮像された住戸外の背景映像に識別子を付与して無線増設親機へ定期的に無線通信で送信するための親機制御部と、子機からの呼出時にカメラにて撮像される映像を来訪者映像と背景映像とに分割し、予め送信された背景映像のうち呼出時の背景映像に最も近い背景画像の識別子を指定するための親機映像処理部とを備えている。親機の親機制御部は、親機映像処理部にて指定された背景映像の識別子及び分割された来訪者映像を無線増設親機へ無線通信で送信するものである。無線増設親機には、親機から無線通信で送信されてきた背景映像の識別子及び分割された来訪者映像に基づいて当該識別子の背景映像及び来訪者映像を合成して背景映像付来訪者映像を増設モニタに出画させるための増設映像処理部を備えている。
【００１１】
また、本発明の第２の態様であるテレビインターホンシステムは、本発明の第１の態様において、無線増設親機は、増設モニタへの背景映像の出画を保持した状態で親機から無線通信で送信されてくる来訪者映像を増設モニタに出画させるものである。
【００１２】
また、本発明の第３の態様であるテレビインターホンシステムは、玄関又は門扉等の住戸外に設置されカメラを有する子機と、子機に無線接続され当該子機のカメラにて撮像された映像を出画するための親機モニタを有する親機とを設け、来訪者による子機からの呼び出しを親機に報知して子機のカメラにて撮像された映像を親機の親機モニタに出画し、当該呼び出しに応答した親機と子機との間で通話を成立させる当該システムである。子機には、カメラにて予め撮像された住戸外の背景映像に識別子を付与して親機へ定期的に無線通信で送信するための子機制御部と、当該子機からの呼出時にカメラにて撮像される映像を来訪者映像と背景映像とに分割し、予め送信された背景映像のうち呼出時の背景映像に最も近い背景画像の識別子を指定するための子機映像処理部とを備えている。子機の子機制御部は、子機映像処理部にて指定された背景映像の識別子及び分割された来訪者映像を親機に無線通信で送信するものである。親機には、子機から無線通信で送信されてきた背景映像の識別子及び分割された来訪者映像に基づいて当該識別子の背景映像及び来訪者映像を合成して背景映像付来訪者映像を親機モニタに出画させるための親機映像処理部を備えている。
【００１３】
本発明の第４の態様であるテレビインターホンシステムは、本発明の第３の態様において、親機は、親機モニタへの背景映像の出画を保持した状態で子機から無線通信で送信されてくる来訪者映像を親機モニタに出画させるものである。
【発明の効果】
【００１４】
本発明のテレビインターホンシステムよれば、子機のカメラにて撮像された映像が親機を経由して無線通信で送信されてくる無線増設親機に、識別子として所定の時刻に対応させた複数の背景画像を予め送信し、来訪者による子機からの呼出時において、当該呼出時の背景映像に最も近い背景画像と変化量の大きい来訪者映像とを合成して増設モニタに出画させることにより、呼出時における来訪者映像を迅速にモニタ出画して居住者に確認させることができ、この来訪者映像は、背景映像のモニタ出画を保持した状態で切り替えられる。
【００１５】
また、本発明のテレビインターホンシステムよれば、子機のカメラにて撮像された映像が無線通信で送信されてくる親機に、識別子として所定の時刻に対応させた複数の背景画像を無線通信で予め送信し、来訪者による子機からの呼出時において、当該呼出時の背景映像に最も近い背景画像と変化量の大きい来訪者映像とを合成して親機モニタに出画させることにより、呼出時における来訪者映像を迅速にモニタ出画して居住者に確認させることができ、この来訪者映像は、背景映像のモニタ出画を保持した状態で切り替えられる。
【発明を実施するための最良の形態】
【００１６】
以下、本発明のテレビインターホンシステムを適用した最良の実施の形態例について、図面を参照して説明する。
【００１７】
図１は、本発明の第１の実施例によるテレビインターホンシステムの具体的な構成を示すブロック図である。このテレビインターホンシステムには、玄関又は門扉等の住戸外に設置され、来訪者が住戸内に在室中の居住者を呼び出して通話を成立させるとともに、呼出操作を行った来訪者映像及び住戸外の背景映像を撮像するための（少なくとも１台の）子機１ａ、１ｂと、住戸内に設置され、有線の伝送路Ｌ1a、Ｌ1bにより接続された子機１ａ、１ｂからの呼び出しが報知され、この呼び出しに応答した居住者が来訪者との間で通話を成立させるとともに、子機１ａ、１ｂにて撮像された映像（来訪者映像及び背景映像）を出画するための親機２と、住戸内に在室中の居住者によって携行又は親機２とは異なる住戸内の場所に設置され、子機１ａ、１ｂからの呼び出しが無線の伝送路Ｌ2a、Ｌ2bにより接続された親機２を経由して報知され、この呼び出しに応答した居住者が来訪者との間で通話を成立させるとともに、子機１ａ、１ｂにて撮像された映像（来訪者映像及び背景映像）を出画するための（少なくとも１台の）無線増設親機３ａ、３ｂとが設けられている。
【００１８】
また、図１に示す子機１ａ、１ｂはそれぞれ、同一の構成で個別の子機ＩＤが割り当てられており、その構成として、子機操作部１０、カメラ１１、子機映像処理部１２ａ、子機マイク１３、子機スピーカ１４、子機音声処理部１５、子機制御部１６ａ及び子機Ｉ／Ｆ１７ａが備えられている。
【００１９】
この子機１ａ、１ｂにおいて、子機操作部１０は、子機制御部１６ａによって操作検出され、住戸外に居る来訪者が住戸内に在室中の居住者を呼び出すために操作するものであり、例えば、呼出ボタンで構成されている。
【００２０】
カメラ１１は、子機制御部１６ａによって制御され、来訪者映像及び背景映像を撮像するためのものであり、例えば、ＣＣＤ、ＣＭＯＳ等の各種の映像撮像媒体で構成されている。また、子機映像処理部１２ａは、子機制御部１６ａによって制御され、カメラ１１にて撮像された映像（来訪者映像及び背景映像）の映像信号について、例えば、ＦＭ変調、増幅等の所定の信号処理を行うためのものである。
【００２１】
子機マイク１３及び子機スピーカ１４は、来訪者が居住者との間で通話を成立させるための音声（送話音声及び受話音声）を入出力するものである。また、子機音声処理部１５は、子機制御部１６ａによって制御され、子機マイク１３及び子機スピーカ１４にて入出力される音声（送話音声及び受話音声）の音声信号について、例えば、４線／２線変換、２線／４線変換、増幅等の所定の信号処理を行うためのものである。
【００２２】
子機制御部１６ａは、子機１ａ、１ｂの構成各部を制御するためのものである。具体的な制御として、子機制御部１６ａは、来訪者による子機操作部１０の呼出操作を検出し、その旨の呼出信号を生成するとともに、カメラ１１及び子機映像処理部１２ａが能動となるように制御することができる。また、子機制御部１６ａは、親機２の後述する親機操作部２０及び無線増設親機３ａ、３ｂの後述する増設操作部３０のうち何れか１の当該操作部の使用による居住者の応答操作又は終話操作を検出し、子機音声処理部１５が能動又は非能動となるように制御することができる。また、子機制御部１６ａは、当該子機制御部、親機２の後述する親機制御部２６ａ及び無線増設親機３ａ、３ｂの後述する増設制御部３７のうち少なくとも何れか１の当該制御部にて設定される所定の時刻、例えば、１日２４時間のうち３時間（例えば、ＡＭ６：００、ＡＭ９：００、ＰＭ０：００、・・・）毎の所定の時刻に基づいて、カメラ１１及び子機映像処理部１２ａが能動となるように制御することができる。
【００２３】
子機Ｉ／Ｆ１７ａは、子機映像処理部１２ａから有線の伝送路Ｌ1a、Ｌ1bへの信号伝送ラインと、子機音声処理部１５及び有線の伝送路Ｌ1a、Ｌ1bの間の双方向の信号伝送ライン、すなわち、通話ラインと、子機制御部１６ａ及び有線の伝送路Ｌ1a、Ｌ1bの間の双方向の信号伝送ラインとをそれぞれ形成するためのものである。
【００２４】
また、図１に示す親機２には、その構成として、親機操作部２０、親機モニタ２１、親機映像処理部２２ａ、親機マイク２３、親機スピーカ２４、親機音声処理部２５、親機制御部２６ａ、子機側親機Ｉ／Ｆ２７ａ及び増設側親機Ｉ／Ｆ２８が備えられている。
【００２５】
この親機２において、親機操作部２０は、親機制御部２６ａによって操作検出され、来訪者による子機１ａ、１ｂからの呼び出しに居住者が応答し、親機マイク２３及び親機スピーカ２４の使用による通話を成立させるとともに、成立中の通話を終了させるための操作を行うものであり、例えば、通話ボタンで構成されている。なお、親機操作部２０の態様としては、親機モニタ２１に前面に配置されるタッチパネル（図示せず。）も好適である。
【００２６】
親機モニタ２１は、親機制御部２６ａによって制御され、子機１ａ、１ｂのカメラ１１にて撮像された映像として、来訪者映像及び背景映像を動画像で出画するためのものであり、例えば、ＬＣＤ、ＰＤＰ、ＴＦＴ、有機ＥＬディスプレイ等の各種の表示媒体で構成されている。なお、親機モニタ２１は、前述の映像出画機能のみならず、来訪者による子機１ａ、１ｂからの呼び出しを報知するための呼出メッセージや絵データ等を表示する呼出報知機能も備えられている。
【００２７】
親機映像処理部２２ａは、親機制御部２６ａによって制御され、来訪者による子機１ａ、１ｂからの呼出時にカメラ１１にて撮像された映像の映像信号について、例えば、ＦＭ復調、増幅等の所定の信号処理を行い、来訪者映像及び背景映像を動画像で親機モニタ２１に出画させるとともに、同様に送信されてくる映像信号について来訪者映像の映像信号と背景映像の映像信号とに分割し、無線増設親機３ａ、３ｂに予め送信され（保存され）た複数の背景映像の映像信号のうち呼出時の背景映像に最も近い背景映像の識別子を指定するためのものである。
【００２８】
親機マイク２３及び親機スピーカ２４は、居住者が来訪者との間で通話を成立させるための音声（送話音声及び受話音声）を入出力するものであり、この親機スピーカ２４は、前述の通話機能のみならず、来訪者による子機１ａ、１ｂからの呼び出しがある旨の呼出音や音声メッセージ等を出力する呼出報知機能も備えられている。また、親機音声処理部２５は、親機制御部２６ａによって制御され、親機マイク２３及び親機スピーカ２４にて入出力される音声（送話音声及び受話音声）の音声信号について、例えば、４線／２線変換、２線／４線変換、増幅等の所定の信号処理を行うためのものである。
【００２９】
親機制御部２６ａは、親機２の構成各部を制御するためのものである。具体的な制御として、親機制御部２６ａは、来訪者による子機１ａ、１ｂからの呼び出しがあることを検出し、その旨の呼出報知を、親機モニタ２１及び親機スピーカ２４を使用して行うとともに、来訪者による子機１ａ、１ｂからの呼び出しがある旨の呼出信号を、無線増設親機３ａ、３ｂに無線通信で送信することができる。また、親機制御部２６ａは、親機操作部２０の使用による居住者の応答操作又は終話操作を検出し、親機音声処理部２５が能動又は非能動となるように制御することができる。また、親機制御部２６ａは、無線増設親機３ａ、３ｂの後述する増設操作部３０の使用による居住者の応答操作又は終話操作を検出した場合、親機音声処理部２５を経由して子機側親機Ｉ／Ｆ２７ａ及び増設側親機Ｉ／Ｆ２８の間の双方向の信号伝送ライン、すなわち、通話ラインを形成又は遮断することができる。また、親機制御部２６ａは、当該親機制御部、子機１ａ、１ｂの子機制御部１６ａ及び無線増設親機３ａ、３ｂの後述する増設制御部３７のうち少なくとも何れか１の当該制御部にて設定される所定の時刻、例えば、１日２４時間のうち３時間（例えば、ＡＭ６：００、ＡＭ９：００、ＰＭ０：００、・・・）毎の所定の時刻に基づいて、子機１ａ、１ｂのカメラ１１にて撮像された背景映像の映像信号に例えば、所定の時刻を示す識別子を付与した後、定期的なタイミングで無線増設親機３ａ、３ｂに無線通信で送信することができる。さらに、親機制御部２６ａは、来訪者による子機１ａ、１ｂからの呼出時において、親機映像処理部２２ａにて指定された背景映像の識別子及び当該親機映像処理部にて分割された来訪者映像の映像信号を、無線増設親機３ａ、３ｂに無線通信で送信することができる。
【００３０】
子機側親機Ｉ／Ｆ２７ａは、有線の伝送路Ｌ1a、Ｌ1bから親機映像処理部２２ａへの信号伝送ラインと、親機音声処理部２５及び有線の伝送路Ｌ1a、Ｌ1bの間の双方向の信号伝送ライン、すなわち、通話ラインと、親機制御部２６ａ及び有線の伝送路Ｌ1a、Ｌ1bの間の双方向の信号伝送ラインとをそれぞれ形成するためのものである。また、増設側親機Ｉ／Ｆ２８は、親機音声処理部２５及び無線の伝送路Ｌ2a、Ｌ2bの間の双方向の信号伝送ライン、すなわち、通話ラインと、親機制御部２６ａ及び無線の伝送路Ｌ2a、Ｌ2bの間の双方向の信号伝送ラインとをそれぞれ形成するためのものである。
【００３１】
さらに、図１に示す無線増設親機３ａ、３ｂはそれぞれ、同一の構成で個別の増設ＩＤが割り当てられており、その構成として、増設操作部３０、増設モニタ３１、増設メモリ３２、増設映像処理部３３、増設マイク３４、増設スピーカ３５、増設音声処理部３６、増設制御部３７及び増設Ｉ／Ｆ３８が備えられている。
【００３２】
この無線増設親機３ａ、３ｂにおいて、増設操作部３０は、増設制御部３７によって操作検出され、来訪者による子機１ａ、１ｂからの呼び出しに居住者が応答し、増設マイク３４及び増設スピーカ３５の使用による通話を成立させるとともに、成立中の通話を終了させるために操作を行うものであり、例えば、通話ボタンで構成されている。なお、増設操作部３０の態様としては、増設モニタ３１に前面に配置されるタッチパネル（図示せず。）も好適である。
【００３３】
増設モニタ３１は、増設制御部３７によって制御され、子機１ａ、１ｂのカメラ１１にて撮像された映像として、来訪者映像及び背景映像を静止画像で出画するためのものであり、例えば、ＬＣＤ、ＰＤＰ、ＴＦＴ、有機ＥＬディスプレイ等の各種の表示媒体で構成されている。なお、増設モニタ３１は、前述の映像出画機能のみならず、通常、来訪者による子機１ａ、１ｂからの呼び出しを報知するための呼出メッセージや絵データ等を表示する呼出報知機能も備えられている。
【００３４】
増設メモリ３２は、増設制御部３７によって制御（保存・読出制御）され、親機２から定期的なタイミングで無線通信により送信されてくる識別子が付与された背景映像の映像信号を複数保存するためのものであり、例えば、ＲＡＭ、ＥＥＰＲＯＭ等の各種の記憶媒体で構成されている。
【００３５】
増設映像処理部３３は、増設制御部３７によって制御され、来訪者による子機１ａ、１ｂからの呼出時にカメラ１１にて撮像され、親機２の親機映像処理部２２ａにて分割され無線通信で送信されてくる来訪者映像の映像信号及び識別子のうち、この識別子に該当して増設メモリ３２から読み出される背景映像の映像信号と分割された来訪者映像の映像信号とを合成し、例えば、ＦＭ復調、増幅等の所定の信号処理を行い、来訪者映像及び背景映像を静止画像で増設モニタ３１に出画させるためのものである。また、増設映像処理部３３は、増設モニタ３１への背景映像の出画を保持した状態で、親機２の親機映像処理部２２ａにて分割され無線通信で送信されてきる来訪者映像の映像信号を当該増設モニタに出画させることができる。
【００３６】
増設マイク３４及び増設スピーカ３５は、居住者が来訪者との間で通話を成立させるための音声（送話音声及び受話音声）を入出力するものであり、この増設スピーカ３５は、前述の通話機能のみならず、来訪者による子機１ａ、１ｂからの呼び出しがある旨の呼出音や音声メッセージ等を出力する呼出報知機能も備えられている。また、増設音声処理部３６は、増設制御部３７によって制御され、増設マイク３４及び増設スピーカ３５にて入出力される音声（送話音声及び受話音声）の音声信号について、例えば、４線／２線変換、２線／４線変換、増幅等の所定の信号処理を行うためのものである。
【００３７】
増設制御部３７は、無線増設親機３ａ、３ｂの構成各部を制御するためのものである。具体的な制御として、増設制御部３７は、来訪者による子機１ａ、１ｂからの呼び出しがあることを検出し、その旨の呼出報知を、増設モニタ３１及び増設スピーカ３５を使用して行うことができる。また、増設制御部３７は、増設操作部３０の使用による居住者の応答操作又は終話操作を検出し、増設音声処理部３３が能動又は非能動となるように制御することができる。また、増設制御部３７は、親機２から定期的なタイミングで無線通信により送信されてくる識別子が付与された背景映像の映像信号を、増設メモリ３２に保存することができる。さらに、増設制御部３７は、親機２の親機映像処理部２２ａにて分割され無線通信で送信されてくる来訪者映像の映像信号及び識別子のうち、この識別子に該当して増設メモリ３２に予め保存されている背景映像の映像信号を読み出し、増設映像処理部３３に送信することができる。
【００３８】
増設Ｉ／Ｆ３８は、増設音声処理部３６及び無線の伝送路Ｌ2a、Ｌ2bの間の双方向の信号伝送ライン、すなわち、通話ラインと、増設制御部３７及び無線の伝送路Ｌ2a、Ｌ2bの間の双方向の信号伝送ラインとをそれぞれ形成するためのものである。
【００３９】
このように構成された本発明の第１の実施例によるテレビインターホンシステムにおいて、以下、具体的な動作について、図１のブロック図、図３の背景映像図及び図４（Ａ）の背景映像付来訪者映像図を参照して説明する。なお、図３の背景映像図は、子機１ａ、１ｂのカメラ１１にて所定の時刻に撮像される背景映像の一例を示すものである。また、図４（Ａ）の背景映像付来訪者映像図は、親機２の親機モニタ２１及び無線増設親機３ａ、３ｂの増設モニタ３１に出画される背景映像付来訪者映像の一例を示すものである。
【００４０】
図１に示すテレビインターホンシステムにおいて、子機１ａ、１ｂの子機制御部１６ａはそれぞれ、当該自子機制御部、親機２の親機制御部２６ａ及び無線増設親機３ａ、３ｂの増設制御部３７のうち少なくとも何れか１の当該制御部にて設定される所定の時刻、例えば、１日２４時間のうち３時間（例えば、ＡＭ６：００、ＡＭ９：００、ＰＭ０：００、・・・）毎の所定の時刻に基づいて、カメラ１１及び子機映像処理部１２ａが能動となるように制御することができる。このカメラ１１にて撮像された背景映像の映像信号には、子機１ａ、１ｂが有する個別の子機ＩＤが付与されており、子機映像処理部１２ａにて例えば、ＦＭ変調、増幅等の所定の信号処理が行われた後、子機Ｉ／Ｆ１７ａ、有線の伝送路Ｌ1a、Ｌ1b、親機２の子機側親機Ｉ／Ｆ２７ａを経由して親機映像処理部２２ａに送信される。
【００４１】
親機２の親機制御部２６ａは、親機映像処理部２２ａにて受信された背景映像の映像信号に、前述の所定の時刻を識別子として付与した後、定期的なタイミングに基づいて、増設側親機Ｉ／Ｆ２８、無線の伝送路Ｌ2a、Ｌ2b、無線増設親機３ａ、３ｂの増設Ｉ／Ｆ３８を経由して増設制御部３７に送信する。
【００４２】
無線増設親機３ａ、３ｂの増設制御部３７は、親機２から定期的なタイミングで無線通信により送信されてきた背景映像の映像信号を受信し、増設メモリ３２に保存することができる。
【００４３】
ここまでの動作により、子機１ａ、１ｂの子機制御部１６ａ、親機２の親機制御部２６ａ及び無線増設親機３ａ、３ｂの増設制御部３７のうち少なくとも何れか１の当該制御部にて設定される所定の時刻、例えば、１日２４時間のうち３時間（ＡＭ６：００、ＡＭ９：００、ＰＭ０：００、・・・）毎の所定の時刻に基づいて、子機１ａ、１ｂのカメラ１１にて撮像された背景映像の映像信号を、子機１ａ、１ｂが有する個別の子機ＩＤ及び前述の識別子に割り当てて、図３に示すように、無線増設親機３ａ、３ｂの増設メモリ３２に複数保存することができる。なお、増設メモリ３２に複数保存される背景映像の映像信号としては、前述のように、１日２４時間のうち３時間（ＡＭ６：００、ＡＭ９：００、ＰＭ０：００、・・・）毎で例えば、２日分の当該映像信号を保存することができる。
【００４４】
次に、所定の時刻において、住戸外に居る来訪者が住戸内に在室中の居住者を呼び出すにあたり、子機１ａ、１ｂの子機操作部１０のうち、例えば、ＡＭ１０：００に子機１ａの子機操作部１０にて呼出操作を行うと、この呼出操作を検出した子機制御部１６ａの制御によってカメラ１１及び子機映像処理部１２ａが能動となり、カメラ１１にて来訪者映像及び背景映像が撮像開始されるとともに、子機１ａが有する個別の子機ＩＤが付与された呼出信号が生成される。
【００４５】
また、子機１ａのカメラ１１にて撮像された来訪者映像及び背景映像の映像信号は、子機映像処理部１２ａにて例えば、ＦＭ変調、増幅等の所定の信号処理が行われた後、子機Ｉ／Ｆ１７ａ、有線の伝送路Ｌ1a、Ｌ1b、親機２の子機側親機Ｉ／Ｆ２７ａを経由して親機映像処理部２２ａに送信される。
【００４６】
さらに、子機１ａの子機制御部１６ａにて生成された呼出信号は、子機Ｉ／Ｆ１７ａ、有線の伝送路Ｌ1a、親機２の子機側親機Ｉ／Ｆ２７ａを経由して親機制御部２６ａに送信され、この親機制御部２６ａにて受信された後、増設側親機Ｉ／Ｆ２８、無線の伝送路Ｌ2a、Ｌ2b、無線増設親機３ａ、３ｂの増設Ｉ／Ｆ３８を経由して増設制御部３７に送信される。
【００４７】
ここで、親機２の親機制御部２６ａは、子機１ａから送信されてきた呼出信号を受信すると、この呼出信号に付与されている子機ＩＤをもとに、来訪者による子機１ａからの呼び出しがあることを検出し、親機モニタ２１及び親機映像処理部２２ａが能動となるように制御するとともに、来訪者による子機１ａからの呼び出しがある旨の呼出音や音声メッセージ等を親機スピーカ２４から出力させて呼出報知を行うことができる。
【００４８】
親機２の親機映像処理部２２ａは、子機１ａから送信されてきた映像信号について、例えば、ＦＭ復調、増幅等の所定の信号処理を行い、子機１ａのカメラ１１にて撮像された来訪者映像及び背景映像を、図４（Ａ）に示すように、動画像の背景映像付来訪者映像として合成し、親機モニタ２１に出画させることができる。また、親機映像処理部２２ａは、同様に受信した映像信号を来訪者映像の映像信号と背景映像の映像信号とに分割した後、この分割された背景映像の映像信号と無線増設親機３ａ、３ｂの増設メモリ３２に予め保存させた複数の背景映像の映像信号とを比較し、分割された背景映像の映像信号に最も近い背景映像の識別子として、「ＡＭ９：００」を特定し、特定された時刻における背景映像の映像信号を示す識別子を指定することができる。
【００４９】
また、親機２の親機制御部２６ａは、親機映像処理部２２ａにて指定された識別子及び当該親機映像処理部にて分割された来訪者映像の映像信号を、増設側親機Ｉ／Ｆ２８、無線の伝送路Ｌ2a、Ｌ2b、無線増設親機３ａ、３ｂの増設Ｉ／Ｆ３８を経由して増設制御部３７に送信する。
【００５０】
なお、親機２の親機モニタ２１には、前述のような動画像の背景映像付来訪者映像のみならず、来訪者による子機１ａからの呼び出しがある旨の呼出メッセージや絵データ等を、親機制御部２６ａの制御によって表示させることもできる。
【００５１】
無線増設親機３ａ、３ｂの増設制御部３７はそれぞれ、子機１ａから親機２を経由して無線通信で送信されてきた呼出信号を受信すると、この呼出信号に付与されている子機ＩＤをもとに、来訪者による子機１ａからの呼び出しがあることを検出し、増設モニタ３１及び増設映像処理部３３が能動となるように制御するとともに、来訪者による子機１ａからの呼び出しがある旨の呼出音や音声メッセージ等を増設スピーカ３５から出力させて呼出報知を行うことができる。
【００５２】
また、無線増設親機３ａ、３ｂの増設制御部３７はそれぞれ、親機２から無線通信で送信されてきた識別子及び来訪者映像の映像信号を受信すると、受信した識別子をもとに、「ＡＭ９：００」の背景映像である映像信号を増設メモリ３２から読み出し、同様に受信した来訪者映像の映像信号とともに増設映像処理部３３に送信する。
【００５３】
無線増設親機３ａ、３ｂの増設映像処理部３３はそれぞれ、増設制御部３７からの背景映像の映像信号及び来訪者映像の映像信号について、例えば、ＦＭ復調、増幅等の所定の信号処理を行い、子機１ａのカメラ１１にて撮像された来訪者映像及び背景映像を、図４（Ａ）に示すように、静止画像の背景映像付来訪者映像として合成し、増設モニタ３１に出画させることができ、この来訪者映像の出画は、静止画像として背景映像が増設モニタ３１に出画されている状態で、親機２の親機映像処理部２２ａにて分割され送信されてくる来訪者映像の映像信号に基づいてフレーム毎に切り替わることにより、子機１ａからの呼び出しを検出してからモニタ出画するまでの時間が短縮され、迅速なモニタ出画が可能となる。
【００５４】
前述までの説明から明らかなように、子機１ａ、１ｂのカメラ１１にて撮像された映像が親機２を経由して無線通信で送信されてくる無線増設親機３ａ、３ｂに、識別子として所定の時刻に対応させた複数の背景画像を予め送信し、来訪者による子機１ａ、１ｂからの呼出時、ここでは、来訪者による子機１ａからの呼出時において、当該呼出時の背景映像に最も近い背景画像と変化量の大きい来訪者映像とを合成して増設モニタ３１に出画させることにより、呼出時における来訪者映像を迅速にモニタ出画して居住者に確認させることができ、来訪者映像は、背景映像のモニタ出画を保持した状態で切り替えられる。
【００５５】
なお、来訪者による子機１ａからの呼び出しがあることを、前述の呼出報知や来訪者映像（及び背景映像）のモニタ出画と併せて確認できた居住者が、親機２の親機操作部２０及び無線増設親機３ａ、３ｂの増設操作部３０のうち何れか１の当該操作部にて応答操作を行った場合、例えば、親機２の親機操作部２０にて居住者により応答操作が行われた場合には、この応答操作を検出した親機制御部２６ａ及び子機１ａの子機制御部１６ａの制御（詳述せず。）により、居住者が使用する親機マイク２３及び親機スピーカ２４と、親機音声処理部２５、子機側親機Ｉ／Ｆ２７ａ、有線の伝送路Ｌ1a、子機１ａの子機Ｉ／Ｆ１７ａ、子機音声処理部１５を経由して来訪者が使用する子機マイク１３及び子機スピーカ１４との間の双方向の信号伝送ライン、すなわち、通話ラインが形成され、形成された通話ラインを経由して音声信号を送受信させることで通話が成立し、この通話は、親機操作部２０にて終話操作が行われるまでの間、或いは、前述の応答操作の検出後、親機制御部２６ａにて計時される所定の通話時間がタイムアップとなるまでの間継続されることになる。
【００５６】
一方、増設親機３ａ、３ｂの増設操作部３０のうち、ここでは、増設親機３ａの増設操作部３０にて居住者により応答操作が行われた場合には、この応答操作を検出した増設制御部３７、親機２の親機制御部２６ａ及び子機１ａの子機制御部１６ａの制御（詳述せず。）により、居住者が使用する増設マイク３４及び増設スピーカ３５と、増設音声処理部３６、増設Ｉ／Ｆ３８、無線の伝送路Ｌ2a、親機２の増設側親機Ｉ／Ｆ２８、親機音声処理部２５、子機側親機Ｉ／Ｆ２７ａ、有線の伝送路Ｌ1a、子機１ａの子機Ｉ／Ｆ１７ａ、子機音声処理部１５を経由して来訪者が使用する子機マイク１３及び子機スピーカ１４との間の双方向の信号伝送ライン、すなわち、通話ラインが形成され、形成された通話ラインを経由して音声信号を送受信させることで通話が成立し、この通話は、増設操作部３０にて終話操作が行われるまでの間、或いは、前述の応答操作の検出後、増設制御部３７にて計時される所定の通話時間がタイムアップとなるまでの間継続されることになる。
【００５７】
なお、前述までの第１の実施例においては、子機１ａ、１ｂの構成各部を制御する機能として、子機制御部１６ａを自子機内に備える態様について説明したが、この態様に限定されるものではない。例えば、子機制御部１６ａが有する制御機能を、親機２の親機制御部２６ａに備えた態様であってもよい。
【００５８】
次に、本発明の第２の実施例によるテレビインターホンシステムについて、具体的な構成を示す図２のブロック図を参照して説明する。
【００５９】
図２に示すテレビインターホンシステムには、玄関又は門扉等の住戸外に設置され、来訪者が住戸内に在室中の居住者を呼び出して通話を成立させるとともに、呼出操作を行った来訪者映像及び住戸外の背景映像を撮像するための（少なくとも１台の）子機５１ａ、５１ｂと、住戸内に設置され、無線の伝送路Ｌ51a、Ｌ51bにより接続された子機５１ａ、５１ｂからの呼び出しが報知され、この呼び出しに応答した居住者が来訪者との間で通話を成立させるとともに、子機５１ａ、５１ｂにて撮像された映像（来訪者映像及び背景映像）を出画するための親機５２とが設けられている。
【００６０】
また、図２に示す子機５１ａ、５１ｂはそれぞれ、同一の構成で個別の子機ＩＤが割り当てられており、その構成として、前述の第１の実施例に適用の子機１ａ、１ｂの構成各部で同一の作用を有する子機操作部１０、カメラ１１、子機マイク１３、子機スピーカ１４及び子機音声処理部１５と、子機映像処理部１２ｂと、子機制御部１６ｂと、子機Ｉ／Ｆ１７ｂとが備えられている。
【００６１】
この子機５１ａ、５１ｂにおいて、子機映像処理部１２ｂは、子機制御部１６ｂによって制御され、来訪者による当該子機からの呼出時にカメラ１１にて撮像された映像（来訪者映像及び背景映像）の映像信号について、例えば、ＦＭ変調、増幅等の所定の信号処理を行い、来訪者映像の映像信号と背景映像の映像信号とに分割し、親機５２ｂに予め送信され（保存され）た複数の背景映像の映像信号のうち呼出時の背景映像に最も近い背景映像の識別子を指定するためのものである。
【００６２】
子機制御部１６ｂは、子機５１ａ、５１ｂの構成各部を制御するためのものである。具体的な制御として、子機制御部１６ｂは、来訪者による子機操作部１０の呼出操作を検出し、その旨の呼出信号を生成するとともに、カメラ１１及び子機映像処理部１２ｂが能動となるように制御することができる。また、子機制御部１６ｂは、親機５２の親機操作部２０の使用による居住者の応答操作又は終話操作を検出し、子機音声処理部１５が能動又は非能動となるように制御することができる。また、子機制御部１６ｂは、当該自子機制御部又は親機５２の後述する親機制御部２６ｂにて設定される所定の時刻、例えば、１日２４時間のうち３時間（ＡＭ６：００、ＡＭ９：００、ＰＭ０：００、・・・）毎の所定の時刻に基づいて、カメラ１１及び子機映像処理部１２ｂが能動となるように制御し、カメラ１１にて撮像された背景映像に例えば、所定の時刻を示す識別子を付与した後、定期的なタイミングで親機５２に無線通信で送信することができる。
【００６３】
子機Ｉ／Ｆ１７ｂは、子機音声処理部１５及び無線の伝送路Ｌ51a、Ｌ51bの間の双方向の信号伝送ライン、すなわち、通話ラインと、子機制御部１６ｂ及び無線の伝送路Ｌ51a、Ｌ51bの間の双方向の信号伝送ラインとをそれぞれ形成するためのものである。
【００６４】
さらに、図２に示す親機５２には、その構成として、前述の第１の実施例に適用の親機２の構成各部で同一の作用を有する親機操作部２０、親機モニタ２１、親機マイク２３、親機スピーカ２４及び親機音声処理部２５と、親機映像処理部２２ｂと、親機制御部２６ｂと、子機側親機Ｉ／Ｆ（以下、親機Ｉ／Ｆという。）２７ｂと、親機メモリ２９とが備えられている。
【００６５】
この親機５２において、親機メモリ２９は、親機制御部２６ｂによって制御（保存・読出制御）され、子機５１ａ、５１ｂから定期的なタイミングで無線通信により送信されてくる識別子が付与された背景映像の映像信号を複数保存するためのものであり、例えば、ＲＡＭ、ＥＥＰＲＯＭ等の各種の記憶媒体で構成されている。
【００６６】
親機映像処理部２２ｂは、親機制御部２６ｂによって制御され、来訪者による子機５１ａ、５１ｂからの呼出時にカメラ１１にて撮像され、子機映像処理部１２ｂにて分割され無線通信で送信されてくる来訪者映像の映像信号及び識別子のうち、この識別子に該当して親機メモリ２９から読み出される背景映像の映像信号と分割された来訪者映像の映像信号とを合成し、例えば、ＦＭ復調、増幅等の所定の信号処理を行い、来訪者映像及び背景映像を静止画像で親機モニタ２１に出画させるためのものである。また、親機映像処理部２２ｂは、親機モニタ２１への背景映像の出画を保持した状態で、子機映像処理部１２ｂにて分割され無線通信で送信されてきる来訪者映像の映像信号を当該親機モニタに出画させることができる。
【００６７】
親機制御部２６ｂは、親機５２の構成各部を制御するためのものである。具体的な制御として、親機制御部２６ｂは、来訪者による子機５１ａ、５１ｂからの呼び出しがあることを検出し、その旨の呼出報知を、親機モニタ２１及び親機スピーカ２４を使用して行うことができる。また、親機制御部２６ｂは、親機操作部２０の使用による居住者の応答操作又は終話操作を検出し、親機音声処理部２５が能動又は非能動となるように制御することができる。また、親機制御部２６ｂは、子機５１ａ、５１ｂから定期的なタイミングで無線通信により送信されてくる識別子が付与された背景映像の映像信号を、親機メモリ２９に保存することができる。また、親機制御部２６ｂは、子機５１ａ、５１ｂの子機映像処理部１２ｂにて分割され無線通信で送信されてくる来訪者映像の映像信号及び識別子のうち、この識別子に該当して親機メモリ２９に予め保存されている背景映像の映像信号を読み出し、親機映像処理部２２ｂに送信することができる。
【００６８】
親機Ｉ／Ｆ２７ｂは、親機音声処理部２５及び無線の伝送路Ｌ51a、Ｌ51bの間の双方向の信号伝送ライン、すなわち、通話ラインと、親機制御部２６ｂ及び無線の伝送路Ｌ51a、Ｌ51bの間の双方向の信号伝送ラインとをそれぞれ形成するためのものである。
【００６９】
このように構成された本発明の第２の実施例によるテレビインターホンシステムにおいて、以下、具体的な動作について、図２のブロック図、図３の背景映像図及び図４（Ｂ）の背景映像付来訪者映像図を参照して説明する。なお、図４（Ｂ）の背景映像付来訪者映像図は、親機５２の親機モニタ２１に出画される背景映像付来訪者映像の一例を示すものである。
【００７０】
図２に示すテレビインターホンシステムにおいて、子機５１ａ、５１ｂの子機制御部１６ｂはそれぞれ、自子機制御部又は親機５２の親機制御部２６ｂにて設定される所定の時刻、例えば、２４時間のうち３時間（ＡＭ６：００、ＡＭ９：００、ＰＭ０：００、・・・）毎の所定の時刻に基づいて、カメラ１１及び子機映像処理部１２ｂが能動となるように制御することができる。このカメラ１１にて撮像された背景映像の映像信号には、子機５１ａ、５１ｂが有する個別の子機ＩＤが付与されており、子機映像処理部１２ｂにて例えば、ＦＭ変調、増幅等の所定の信号処理が行われた後、前述の所定の時刻を識別子として付与した後、定期的なタイミングに基づいて、子機Ｉ／Ｆ１７ｂ、無線の伝送路Ｌ51a、Ｌ51b、親機５２の親機Ｉ／Ｆ２７ｂを経由して親機制御部２６ｂに送信される。
【００７１】
親機５２の親機制御部２６ｂは、子機５１ａ、５１ｂから定期的なタイミングで無線通信により送信されてきた背景映像の映像信号を受信し、親機メモリ２９に保存することができる。
【００７２】
ここまでの動作により、子機５１ａ、５１ｂの子機制御部１６ｂ又は親機５２の親機制御部２６ｂの制御により設定される所定の時刻、例えば、１日２４時間のうち３時間（ＡＭ６：００、ＡＭ９：００、ＰＭ０：００、・・・）毎の所定の時刻に基づいて、子機５１ａ、５１ｂのカメラ１１にて撮像された背景映像の映像信号を、子機１ａ、１ｂが有する個別の子機ＩＤ及び前述の識別子に割り当てて、図３に示すように、親機５２の親機メモリ２９に複数保存することができる。なお、親機メモリ２９に複数保存される背景映像の映像信号としては、前述のように、１日２４時間のうち３時間（ＡＭ６：００、ＡＭ９：００、ＰＭ０：００、・・・）毎で例えば、２日分の当該映像信号を保存することができる。
【００７３】
次に、所定の時刻において、住戸外に居る来訪者が住戸内に在室中の居住者を呼び出すにあたり、子機５１ａ、５１ｂの子機操作部１０のうち、例えば、ＰＭ７：００頃に子機５１ｂの子機操作部１０にて呼出操作を行うと、この呼出操作を検出した子機制御部１６ｂの制御によってカメラ１１及び子機映像処理部１２ｂが能動となり、カメラ１１にて来訪者映像及び背景映像が撮像開始されるとともに、子機５１ｂが有する個別の子機ＩＤが付与された呼出信号が生成される。
【００７４】
また、子機５１ｂのカメラ１１にて撮像された来訪者映像及び背景映像の映像信号は、子機映像処理部１２ｂにて例えば、ＦＭ変調、増幅等の所定の信号処理が行われた後、来訪者映像の映像信号と背景映像の映像信号とに分割される。この子機映像処理部１２ｂは、分割された背景映像の映像信号と親機５２の親機メモリ５２に予め保存させた複数の背景映像の映像信号とを比較し、分割された背景映像の映像信号に最も近い背景映像の識別子として、「ＰＭ６：００」を特定し、特定された時刻における背景映像の映像信号を示す識別子を指定することができる。
【００７５】
子機５１ｂの子機制御部１６ｂは、生成された呼出信号、子機映像処理部１２ｂにて指定された識別子及び当該子機映像処理部にて分割された来訪者映像の映像信号を、子機Ｉ／Ｆ１７ｂ、無線の伝送路Ｌ51b、親機５２の親機Ｉ／Ｆ２７ｂを経由して親機制御部２６ｂに送信する。
【００７６】
親機５２の親機制御部２６ａは、子機５１ｂから無線通信で送信されてきた呼出信号を受信すると、この呼出信号に付与されている子機ＩＤをもとに、来訪者による子機５１ｂからの呼び出しがあることを検出し、親機モニタ２１及び親機映像処理部２２ｂが能動となるように制御するとともに、来訪者による子機５１ｂからの呼び出しがある旨の呼出音や音声メッセージ等を親機スピーカ２４から出力させて呼出報知を行うことができる。
【００７７】
また、親機５２の増設制御部２６ｂは、子機５１ｂから無線通信で送信されてきた識別子及び来訪者映像の映像信号を受信すると、受信した識別子をもとに、「ＰＭ６：００」の背景映像である映像信号を親機メモリ２９から読み出し、同様に受信した来訪者映像の映像信号とともに親機映像処理部２２ｂに送信する。
【００７８】
親機５２の親機映像処理部２２ｂは、親機制御部２６ｂからの背景映像の映像信号及び来訪者映像の映像信号について、例えば、ＦＭ復調、増幅等の所定の信号処理を行い、子機１ａのカメラ１１にて撮像された来訪者映像及び背景映像を、図４（Ｂ）に示すように、静止画像の背景映像付来訪者映像として合成し、親機モニタ２１に出画させることができ、この来訪者映像の出画は、静止画像として背景映像が親機モニタ２１に出画されている状態で、子機５１ｂの子機映像処理部１２ｂにて分割され無線通信で送信されてくる来訪者映像の映像信号に基づいて、フレーム毎に切り替わることにより、子機５１ｂからの呼び出しを検出してからモニタ出画するまでの時間が短縮され、迅速なモニタ出画が可能となる。
【００７９】
前述までの説明から明らかなように、子機５１ａ、５１ｂのカメラ１１にて撮像された映像が無線通信で送信されてくる親機５２に、識別子として所定の時刻に対応させた複数の背景画像を無線通信で予め送信し、来訪者による子機５１ａ、５１ｂからの呼出時、ここでは、来訪者による子機５１ｂからの呼出時において、当該呼出時の背景映像に最も近い背景画像と変化量の大きい来訪者映像とを合成して親機モニタ２１に出画させることにより、呼出時における来訪者映像を迅速にモニタ出画して居住者に確認させることができ、来訪者映像は、背景映像のモニタ出画を保持した状態で切り替えられる。
【００８０】
なお、来訪者による子機５１ｂからの呼び出しがあることを、前述の呼出報知や来訪者映像（及び背景映像）のモニタ出画と併せて確認できた居住者が、親機操作部２０にて応答操作を行うと、この応答操作を検出した親機制御部２６ｂ及び子機５１ｂの子機制御部１６ｂの制御（詳述せず。）により、居住者が使用する親機マイク２３及び親機スピーカ２４と、親機音声処理部２５、親機Ｉ／Ｆ２７ｂ、無線の伝送路Ｌ51b、子機５１ｂの子機Ｉ／Ｆ１７ｂ、子機音声処理部１５を経由して来訪者が使用する子機マイク１３及び子機スピーカ１４との間の双方向の信号伝送ライン、すなわち、通話ラインが形成され、形成された通話ラインを経由して音声信号を送受信させることで通話が成立し、この通話は、親機操作部２０にて終話操作が行われるまでの間、或いは、前述の応答操作の検出後、親機制御部２６ｂにて計時される所定の通話時間がタイムアップとなるまでの間継続されることになる。
【００８１】
本発明のテレビインターホンシステムにおいては、特定の実施の形態をもって説明してきたが、この形態に限定されるものでなく、本発明の効果を奏する限り、これまで知られた如何なる構成のテレビインターホンシステムであっても採用できるということはいうまでもないことである。
【図面の簡単な説明】
【００８２】
【図１】図１は、本発明の第１の実施例によるテレビインターホンシステムの具体的な構成を示すブロック図である。
【図２】図２は、本発明の第２の実施例によるテレビインターホンシステムの具体的な構成を示すブロック図。
【図３】図３は、本発明の第１、第２の各実施例によるテレビインターホンシステムにおいて、子機のカメラにて所定の時刻に撮像される背景映像の一例を示す背景映像図である。
【図４】図４（Ａ）は、本発明の第１の実施例によるテレビインターホンシステムにおいて、親機の親機モニタ及び無線増設親機の増設モニタに出画される背景映像付来訪者映像の一例を示す背景映像付来訪者映像図である、また、図４（Ｂ）は、本発明の第２の実施例によるテレビインターホンシステムにおいて、親機の親機モニタに出画される背景映像付来訪者映像の一例を示す背景映像付来訪者映像図である。
【符号の説明】
【００８３】
１ａ、１ｂ、５１ａ、５１ｂ……子機
１１……カメラ
１２ｂ……子機映像処理部
１６ｂ……子機制御部
２、５２……親機
２１……親機モニタ
２６ａ、２６ｂ……親機制御部
３ａ、３ｂ……無線増設親機
３１……増設モニタ
３３……増設映像処理部
【図１】
2009239678.tif 000003
【図２】
2009239678.tif 000004
【図３】
2009239678.tif 000005
【図４】
2009239678.tif 000006